(57)【要約】【課題】従来の買い物用カバンは、車輪が２つついたものや、買い物用手押し車があるが、行きは、それ自体が荷物という感じがして、気軽に使用しにくい。【解決するための手段】手提げ部分や、引っ張る部分の長さが調節できる、キャスターが４個ついた、買物カバン。このカバンは、スチール製や、プラスティック製のパイプでなく、カバンテープを使ってひっぱることを特徴とする。軽く小さいキャスターを使うと、カバン本体だけの時は、肩にかけたり、腕にぶら下げたりできる。底に、キャスターを出せる空間がある、カバンを作り、キャスターをつけたかごを入れ、キャスターをカバンの底の空間から出す。カバンの内部に付けたひも等で、かごを取り付け、立体的に仕上げる。キャスターは、音の静かなゴム製等がよい。カバン本体は、防水タイプの布地がよい。荷物が多く、ファスナーを閉めにくい時の為に、カバーと、カバーを収納するポケットもつける。【選択図】  図１
2005329205.tif 000002
【特許請求の範囲】
【請求項１】
キャスターが４個ついた買い物カバンで、手提げの部分が布製等で長さが調節できるようにしたもの。買い物カバンの下にキャスターがついていて、このキャスターを使って、荷物を運ぶことができる。手提げの部分が布製等で長さを調節し、より、運搬しやすい長さに変えることができる。キャスターの地面に接する部分は、プラスティック製は音が大きいので，避け、ゴム製等を使用する。カバン本体は、防水タイプの布地が望ましい。
【発明の詳細な説明】
【技術分野】
【０００１】従来の車輪が２つついた買い物用カバンや、買い物用手押し車に関する
【技術背景】
【０００２】車輪が２つついた買い物用カバンや、買い物用手押し車がある。これら等に関して、何らかの申請はないようである。
【課題】
【０００３】  従来の買い物用カバンは、車輪が２つついたものがあるが、移動するとき、スチールの取っ手を握り、カバンが後方からついてくる状態で、運搬する。また、買い物用手押し車もあるが、その場合は、どうしても少し、腰が曲がってしまう。両者とも買ったものを自然な姿勢で運搬するのには、無理があり、気軽に使用するには、少し抵抗を感じる。
【問題を解決するための手段】
【０００４】  キャスターつきの大きな旅行カバンのように、キャスターが４個ついていて、しかも、手提げ部分が布製等で、長さを調節し、キャスターを使って、荷物を運ぶことができるカバンを考えた。カバンの中に、プラスティック製等のかごを入れ、ひも等で、カバンに取り付け、カバンが、立体的になるようにする。キャスターの地面に接する部分は、プラスティック製は音が大きいので，避け、ゴム製等を使用する。荷物が多く、ファスナーがしまらないときは、防水タイプ等のカバーをかけて、運搬する。
【効果】
【０００５】  買い物をした後、キャスターがついているので、少しの力で荷物を運搬でき、重い買い袋を手にぶら下げた状態で、家に帰らなくてよい。
【０００６】  従来の車輪が２つついた買い物カバンは、スチール製の取っ手がついていて、歩くとき、片手が後ろにひっぱられる、少し、無理な姿勢を強いられたが、このカバンは、手提げ部分が布製等なので、自由に変形し、かなり、自然な姿勢で買い物カバンを持つことができる。
【０００７】  買い物用手押し車を押したときは、腰が少しだけではあるが、曲がってしまうが、この、キャスターが４個ついた、手提げの部分が布製等で長さが調節できる、買い物カバンは、そういうふうに、腰が曲がることがない。
【０００８】  車輪が２つついた、従来の買い物カバンや、買い物用手押し車とは違い、買い物に行くときは、キャスターの重さによっては、地面につけて引っ張らず、カバンごと肩にかけたり、腕にぶら下げたりして、運ぶことができる。
【図面の簡単な説明】
【図１】  キャスターを４個つけたプラスティックの籠を、買い物カバンの中にいれる様子。
【図２】  キャスターが４個ついた、手提げの部分が布製等で長さが調節できる、買い物カバンを外から見た図。
【符号の説明】
１    布製等で長さが調節できる手提げ部分
２    防水タイプ等のカバン
３    プラスティック等の籠
４    カバンに籠を取り付けるひも
５    ゴム製のキャスター
６    木製等の台
７    ファスナー
８    カバンの底の布
９    キャスター等をカバンから外に出す箇所
１０  木製等の台とプラスティック等の籠をくっつける、ひも
１１  防水タイプ等のカバーの、ポケット
１２  入れる品物が多いときにかける、防水タイプ等のカバー
【図１】
2005329205.tif 000003
【図２】
2005329205.tif 000004
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
手提げ部分や、引っ張る部分が、カバンテープ等とバックル等で、長さを調節できる、キャスターが４個ついた、買物カバン。底からキャスターを出せる空間がある、カバンを作る。キャスターをつけた、プラスティック製等のかごを、カバンの中に入れ、キャスターをカバンの底の空間から出す。カバンの内部に付けたひも等で、キャスターを付けたかごを取り付け、カバンが、立体的になるようにする。キャスターは、音の静かなゴム製等を使用する。カバン本体は、防水タイプの布地が望ましい。荷物が多く、ファスナーがしまらないときに掛けるカバーと、それを収納するポケットも、取り付ける。
【手続補正２】
【補正対象書類名】明細書
【補正対象項目名】全文
【補正方法】変更
【補正の内容】
【発明の詳細な説明】
【技術分野】
【０００１】従来の車輪が２つついた買い物用カバンや、買い物用手押し車に関する
【技術背景】
【０００２】車輪が２つついた買い物用カバンや、買い物用手押し車がある。これら等に関して、何らかの申請はないようである。
【課題】
【０００３】  従来の買い物用カバンは、車輪が２つついたものや、買い物用手押し車があるが、両方とも、行きは、それ自体が荷物という感じがして、気軽に使用しにくい。
【問題を解決するための手段】
【０００４】  手提げ部分や、引っ張る部分が、カバンテープ等とバックル等で、長さを調節できる、キャスターが４個ついた、買物カバンを考えた。底に、キャスターを出せる空間がある、カバンを作る。キャスターをつけた、プラスティック製等のかごをカバンに入れ、キャスターをカバンの底の空間から出す。カバンの内部に付けたひも等で、キャスターのついたかごを、カバンに取り付け、カバンが、立体的になるようにする。キャスターは、音の静かなゴム製等を使用する。キャスターを小さくすると、消耗が激しいので、キャスターと、それを取り付けた台を余分に、準備する。カバン本体は、防水タイプの布地が望ましい。荷物が多く、ファスナーを閉めにくいときの為に、カバーと、カバーを収納するポケットもつける。
【効果】
【０００５】  車輪が２つついた、従来の買い物カバンや、買い物用手押し車とは違い、買い物に行くときは、キャスターの重さによっては、地面につけて引っ張らず、カバンごと肩にかけたり、腕にぶら下げたりして、運ぶことができる。
【図面の簡単な説明】
【０００６】
【図１】  キャスターを４個つけた買物かばんを、肩にかけ、引っ張る部分の一部をカバンに収納して、出かける様子。
【図２】  キャスターを４個つけた買物かばんを、地面につけて引っ張る様子。
【図３】  キャスターを４個つけたプラスティックの籠を、買物カバンの中にいれるようす。
【図４】  キャスターを４個つけた買物かばんを、外から見た図。
【符号の説明】
【０００７】  １  カバンテープ等とバックル等で、長さを調節できる、手提げ部分
２  防水タイプ等のカバン
３  プラスティック等の籠
４  カバンに籠を取り付けるひも
５  ゴム製等のキャスター
６  木製等の台
７  ファスナー
８  カバンの底の布
９  キャスター等をカバンから外に出す空間
１０  木製等の台とプラスティック等の籠をくっつける、ひも
１１  防水タイプ等のカバーの、ポケット
１２  入れる品物が多いときにかける、防水タイプ等のカバー
１３  ファスナーの終点側につける、引っ張る部分
１４  バックル
１５  力が一点に集中するのを防ぐ、当て布等
【手続補正３】
【補正対象書類名】図面
【補正対象項目名】全図
【補正方法】変更
【補正の内容】
【図１】
2005329205.tif 000005
【図２】
2005329205.tif 000006
【図３】
2005329205.tif 000007
【図４】
2005329205.tif 000008
【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
手提げ部分や、引っ張る部分が、カバンテープ等とバックル等で、長さを調節できる、キャスターが４個ついた、買物カバン。この買物カバンは、スチール製や、プラスティック製のパイプでなく、カバンテープを使ってひっぱることを特徴とする。
【請求項２】
底からキャスターを出せる空間がある、カバンを作る。キャスターをつけた、プラスティック製等のかごを、カバンの中に入れ、キャスターをカバンの底の空間から出す。カバンの内部に付けたひも等で、キャスターを付けたかごを取り付け、カバンが、立体的になるようにする。キャスターは、音の静かなゴム製等を使用する。カバン本体は、防水タイプの布地が望ましい。荷物が多く、ファスナーがしまらないときに掛けるカバーと、それを収納するポケットも、取り付ける。
【手続補正２】
【補正対象書類名】明細書
【補正対象項目名】０００４
【補正方法】変更
【補正の内容】
【０００４】  手提げ部分や、引っ張る部分が、カバンテープ等とバックル等で、長さを調節できる、キャスターが４個ついた、買物カバンを考えた。この買物カバンは、スチール製や、プラスティック製のパイプでなく、カバンテープを使ってひっぱることを特徴とする。底に、キャスターを出せる空間がある、カバンを作る。キャスターをつけた、プラスティック製等のかごをカバンに入れ、キャスターをカバンの底の空間から出す。カバンの内部に付けたひも等で、キャスターのついたかごを、カバンに取り付け、カバンが、立体的になるようにする。キャスターは、音の静かなゴム製等を使用する。キャスターを小さくすると、消耗が激しいので、キャスターと、それを取り付けた台を余分に、準備する。カバン本体は、防水タイプの布地が望ましい。荷物が多く、ファスナーを閉めにくいときの為に、カバーと、カバーを収納するポケットもつける。
【手続補正３】
【補正対象書類名】明細書
【補正対象項目名】０００６
【補正方法】変更
【補正の内容】
【０００６】
【図１】キャスターを４個つけた買物かばんを、肩にかけ、引っ張る部分のカバンテープをカバンに収納して、出かける様子。
【図２】キャスターを４個つけた買物かばんを、地面につけて引っ張る様子。
【図３】キャスターを４個つけたプラスティックの籠を、買物カバンの中にいれるようす。
【図４】キャスターを４個つけた買物かばんを、外から見た図。
【手続補正４】
【補正対象書類名】明細書
【補正対象項目名】０００７
【補正方法】変更
【補正の内容】
【０００７】  １  カバンテープ等とバックル等で、長さを調節できる、手提げ部分  ２  防水タイプ等のカバン  ３  プラスティック等の籠  ４  カバンに籠を取り付けるひも  ５  ゴム製等のキャスター  ６  木製等の台  ７  ファスナー  ８  カバンの底の布  ９  キャスター等をカバンから外に出す空間  １０  木製等の台とプラスティック等の籠をくっつける、ひも  １１  防水タイプ等のカバーの、ポケット  １２  入れる品物が多いときにかける、防水タイプ等のカバー  １３  ファスナーの終点側につける、引っ張る部分のカバンテープ  １４  バックル  １５  力が一点に集中するのを防ぐ、当て布等
【手続補正６】
【補正対象書類名】図面
【補正対象項目名】図１
【補正方法】変更
【補正の内容】
【図１】
2005329205.tif 000009